(57)【要約】      （修正有）【課題】ウオータージェットによる斫り作業において、表示されている作業範囲内を簡便確実に斫ることができるコンクリート面の斫り作業用治具を提供する。【解決手段】橋脚などのコンクリート構造物の補修作業では、前処理として劣化した部分に高圧水を噴射して表面を斫る作業が行われている。本考案は、この斫り作業に使用する治具であって、厚さ０.５〜１.０ｍｍで、幅１００〜３００ｍｍ、長さ５００〜１５００ｍｍの帯状の金属製からなり、該補修部に斫る範囲を墨出しで記した限界線３を確認するための確認孔が端面から所定の距離に複数個設けられている。そして、中央部の２箇所に把手１２が固設されている。全体形状はＴ字状やＬ字状としてもよい。【選択図】図５
0003202892.tif 000002
【実用新案登録請求の範囲】
【請求項１】
高圧水をコンクリート構造物の補修部に向けて噴射して斫る作業に使用する治具であって、厚さ０.５〜１.０ｍｍで、幅１００〜３００ｍｍ、長さ５００〜１５００ｍｍの帯状の金属製からなり、該補修部に表示された斫る範囲の限界線を確認するための確認孔が端面から所定の距離に複数個設けられ、中央部の２箇所に把手が固設されたことを特徴とするコンクリート面の斫り作業用治具。
【請求項２】
前記斫り作業用治具は、薄板でＴ字状またはＬ字状であり、端部に吊持用の吊フックが付設されたことを特徴とする斫り作業用治具。
【考案の詳細な説明】
【技術分野】
【０００１】
本考案は、コンクリート構造物の表面の補修工事における高圧水による斫り作業に使用する治具に関するものである。
【背景技術】
【０００２】
橋脚などの構造物は、耐久性のよいコンクリートが主に使用されているが、長期間の使用による経年劣化が避けられず、僅かなクラックからの水の侵入等により、部分的に剥落することもあり、これらを防止するため定期的に点検し適正な補修が行われている。
この補修作業では、点検によりコンクリート構造物に浮きやひび割れが確認された部分などにマークを付け、劣化状態によってそれぞれ適正な処置が行われる。
補修では、補修の前に、コンクリートの表面を削る斫り作業が行われる場合が多く、高圧水を使用した（ウオータージェット）タイプの斫り装置が一般的に使用されている。
この装置は、鍋状のケース内に高圧水の噴射反力によって高速回転するノズルを備えており、バキューム機能を装備し、噴射した処理水を回収できるようにしている（例えば、特許文献１参照）。
【先行技術文献】
【特許文献】
【０００３】
【特許文献１】特開平９−２３５８９５号公報
【考案の開示】
【考案が解決しようとする課題】
【０００４】
補修部分には、斫り作業を行う範囲に表示（通常墨出し線による）が付けられるが、通常直線で矩形状に表示され、斫り作業を行う範囲（ここでは「斫り線」と称する）のほかに、その外側に、これ以上斫り作業を行ってはならないとする範囲（ここでは「限界線」と称する）が記されている。そして、斫り作業では、この限界線を超えないように、注意しながら作業している。
しかしながら、斫り装置は重量が６ｋｇ以上あり、高所作業車上での作業が多く、振動もあるので、適正な範囲を斫ることはかなり難しく、限界線を超えてしまうことが少なくない。
【０００５】
そこで、本考案は、ウオータージェットによる斫り作業において、表示されている作業範囲内を簡便確実に斫ることができる治具を提供することを目的としている。
【課題を解決するための手段】
【０００６】
本考案の斫り作業用治具は、上記の目的を達成するため次の手段を採った。すなわち、
高圧水をコンクリート構造物の補修部に向けて噴射して斫る作業に使用する治具であって、厚さ０.５〜１.０ｍｍで、幅１００〜３００ｍｍ、長さ５００〜１５００ｍｍの帯状の金属製からなり、該補修部に表示された斫る範囲の限界線を確認するための確認孔が端面から所定の距離に複数個設けられ、中央部の２箇所に把手が固設されたことを特徴としている。
【０００７】
治具の厚さは、ウオータージェットタイプの斫り装置が、曲面部でも使用できるように、できるだけ薄い方がよい。しかし、あまり薄いと扱いにくくなるので、０.５〜１.０ｍｍとするのがよく、材質は金属製であればよいが、ステンレス製が望ましい。
また、幅と長さは扱いやすさと重量を考慮して決めればよいが、形状は、帯状のもののほか、請求項２に記載のように、Ｔ字状やＬ字状も備えるとよい。
【０００８】
この治具は、斫り作業を行うときに、ウオータージェットタイプの斫り装置を持って操作する人の隣で、別の作業者によって所定の位置に保持される。
端面から所定の距離に複数設けられる確認孔は、治具が所定の位置に配置されていることを確認するためのもので、治具の端面を斫り線に合わせて配置すれば、限界線が確認孔の位置にあるので、複数の確認孔から、限界線が見えれば治具が所定の位置にあることが確認できる。確認孔の大きさは直径１５〜２５ｍｍ程度でよい。
把手は、両手でしっかり持てるように少なくとも２箇所に固設する。固設手段は、接着や溶接のほか、脱着できるようにエアーパッドや磁石でもよい。
また、高所作業車上での作業が多いので、治具には落下防止用の吊フックを付設するのが望ましい。
【考案の効果】
【０００９】
本考案のコンクリート面の斫り作業用治具は、厚さ０.５〜１.０ｍｍで、幅１００〜３００ｍｍ、長さ５００〜１５００ｍｍの帯状の金属製からなり、補修部に表示された斫る範囲の限界線を確認するための確認孔が端面から所定の距離に複数個設けられ、中央部の２箇所に把手が固設されているので、斫り作業時にこの治具を限界線が確認孔から見える位置に配置することにより、斫り作業が限界線を超えることなく、斫り線内を正確かつ簡便に行える。また、曲面部における斫り作業にも使用できる。
【考案を実施するための最良の形態】
【００１０】
以下、本考案のコンクリート面の斫り作業用治具の実施の形態を図面に基づいて説明する。
図１は、コンクリート製橋脚で、斫り作業を行うべき箇所（補修部２）が表示された斜視図である。図２は、本考案の斫り作業用治具の実施の形態を示す平面図である。また、図３および図４は、Ｔ字状およびＬ字状の斫り作業用治具を示す平面図である。
図５は、斫り作業用治具の使用状態を示す平面図である。また、図６は、曲面部での使用を説明するための正面図である。
【００１１】
斫り作業用治具１０は、図２に示すように、幅寸法Ｗが２５０ｍｍ、長さＬが１１００ｍｍの帯状で、厚さが０.８ｍｍのステンレス製である。幅方向の中央部には把手１２が２個間隔をおいて固着（ここでは接着している）されており、上端と下端付近に落下防止用の吊フック１３が固設されている。そして、端面から所定の位置（Ｓ寸法）に複数の確認孔１１が設けられている。なお、Ｓ寸法は、限界線３と斫り線４との間隔であるが、現在では５０ｍｍとして運用されているので、ここでは、５０ｍｍとしている。
【００１２】
次に、この治具１０を用いた、橋脚の補修部での斫り作業について説明する。
先ず、橋脚の補修を行うにあたって、コンクリート表面の劣化状態を調査し、補修を必要とする箇所にマークが付けられる。この中で、斫り作業を必要とするところには、図１に示すように、処理部２に斫り作業範囲を示す斫り線４とこれ以上は削ってはいけない限界線３が墨出しで表示される。
【００１３】
斫り作業は、高所作業車に二人が乗って、補修部付近に移動し、一人が斫り作業用治具１０を、図５（ｂ)に示すように、把手１２を持って治具１０の端面を斫り線４に合致させて保持する。この時、確認孔１１は、限界線３上にあるので、各確認孔１１からこれが見えれば、治具１０が適正な位置に置かれていることが確認できる。
【００１４】
この状態で、別の作業者が、ウオータージェットタイプの斫り装置（ここでは、スギノマシン社製のアクアセルロータを使用）を両手で持って、補修面に垂直に押し付け、装置を作動させて左右方向へ移動させながら斫り線４内の斫りを行う。この場合、斫り線４の左端は治具１０の端面上にあるが、右端および上端、下端は、フリーであるので、当然ながら斫り線４を超えないように控えめに斫り作業が行われる。そして、上端部、右端部および下端部を仕上げるときは、治具１０を移動させて端面をそれぞれの斫り線４に合致させて作業を行う。
【００１５】
次に、別の治具２０、３０を使用して斫り作業を行う場合について、説明する。
斫り作業用治具２０は、図３に示すように、全体形状がＴ字状であり、横長さ寸法Ｕは、８５０ｍｍ、横幅Ｖは、１５０ｍｍ、全高は１３５０ｍｍ、厚さは０.８ｍｍである。
確認孔１１は、上記と同じ縦方向の他に、Ｔ字横部材の下端面から５０ｍｍの位置に複数個設けられている。
【００１６】
斫り作業では、図５（ａ）に示すように、斫り線４の左上端角部に合致させて置き、確認孔１１は、左端縦方向の限界線３と、上端横方向の限界線３の両方が見える位置に置いて保持する。そして、斫り装置を斫り線４内の左上端部から右方向へ移動させ、右端（少し控えめに）まで来たら、下へ少し移動させて左方向へ移動させる。順次このように左右方向へ移動させて下方まで行う。そして、右端上端部、左端側、下端側、左下端部、右下端部は、治具２０をそれぞれ置き直して仕上げを行う。図において、７は、斫り装置をコンクリート面に押し付けたときに高圧水が当たる径の大きさ（ここでは、２８０ｍｍ）を示している。
【００１７】
斫り作業用治具３０は、図４に示すように、全体形状がＬ字状であり、縦横の長さＹは、１１００ｍｍ、幅Ｚは、２５０ｍｍ、厚さは０.８ｍｍである。
そして、確認孔１１は、内側の縦方向と横方向の端面から５０ｍｍの位置に複数個設けられている。
この治具３０を使用した斫り作業は上記の場合と同様であるので、説明は省略する。
【００１８】
なお、図６に示すように、橋脚の曲面部に補修部分がある場合でも、治具１０，２０，３０が薄いので曲面部に沿って密着させて置くことができ、上記平坦な場合と同様に作業ができる。
【図面の簡単な説明】
【００１９】
【図１】コンクリート製橋脚の補修箇所を示す斜視図である。
【図２】本考案の斫り作業用治具の実施の形態を示す平面図である。
【図３】同、Ｔ字状の斫り作業用治具の平面図である。
【図４】同、Ｌ字状の斫り作業用治具の平面図である。
【図５】同、斫り作業用治具の使用状態を示す平面図で（ａ）は、Ｔ字状の治具２０、（ｂ）は、帯状の治具１０の使用状態である。
【図６】同、曲面部での使用を説明するための正面図である。
【符号の説明】
【００２０】
１  橋脚
２  処理部
３  限界線
４  斫り線
５  曲面部
７  ウオータージェットの径
１０  斫り作業用治具
１１  確認孔
１２  把手
１３  吊フック
２０  斫り作業用治具
３０  斫り作業用治具
Ｗ  幅寸法
Ｌ  長さ寸法
Ｓ  寸法
Ｕ  横長さ寸法
Ｖ  横幅寸法
Ｙ  長さ寸法
Ｚ  幅寸法
【図１】
0003202892.tif 000003
【図２】
0003202892.tif 000004
【図３】
0003202892.tif 000005
【図４】
0003202892.tif 000006
【図５】
0003202892.tif 000007
【図６】
0003202892.tif 000008